(57)【要約】案内装置（１０）は、少なくとも１つの工作物（１２）を位置決めするために使用され、工作物の位置監視装置（１４）を備える。ここで、前記工作物の位置監視装置（１４）が非接触で工作物の位置を監視するためのセンサ装置（１６）として設計されるように施策される。
2006505417.tif 000002
【特許請求の範囲】
【請求項１】
工作物の位置監視装置（１４）を備え、少なくとも１つの工作物（１２）を位置決めするための案内装置（１０）であって、
前記工作物の位置監視装置（１４）が、非接触で工作物の位置を監視するためのセンサ装置（１６）として設計されていることを特徴とする案内装置（１０）。
【請求項２】
前記工作物の位置監視装置（１４）が、芯出し及び固定装置としても設計されていることを特徴とする請求項１に記載の装置。
【請求項３】
プレス装置又はホワイトボデー溶接装置の一部であることを特徴とする請求項１あるいは２に記載の装置。
【請求項４】
前記センサ装置（１６）が、光学式センサ装置、特に赤外線センサ装置であることを特徴とする請求項１〜３のいずれか一項に記載の装置。
【請求項５】
前記センサ装置（１６）が、離れて配置された複数のセンサ要素（２０）を有することを特徴とする請求項１〜４のいずれか一項に記載の装置。
【請求項６】
同一面上に配置された少なくとも２つの前記センサ要素（２０）が、工作物の位置検出用に備えられていることを特徴とする請求項５に記載の装置。
【請求項７】
前記センサ要素（２０）が、非破壊的に交換可能な構造要素として設計されていることを特徴とする請求項５あるいは６に記載の装置。
【請求項８】
何れの場合も前記センサ要素（２０）がＬ字形の工作物接触辺（２２）を有し、該辺と共にセンサ検出線（２４）が三角形を形成することを特徴とする請求項５〜７のいずれか一項に記載の装置。
【請求項９】
前記センサ要素（２０）が、少なくとも１つの硬化された工作物接触面（２６）を有することを特徴とする請求項７あるいは８に記載の装置。
【請求項１０】
前記センサ要素（２０）が標準部品であることを特徴とする請求項７〜９項のいずれか一項に記載の装置。
【請求項１１】
前記センサ装置（１６）が、電子データ処理装置、及び／又は制御装置に接続されていることを特徴とする請求項１〜１０のいずれか一項に記載の装置。
【発明の詳細な説明】
【技術分野】
【０００１】
本発明は、請求項１の前段に従って、工作物の位置監視装置を備え、少なくとも１つの工作物を位置決めするための案内装置に関する。
【背景技術】
【０００２】
前述の種類の案内装置は周知である。特許文献１では、回転ガイドの弓形レール用の強制案内／芯だし装置を開示している。
【０００３】
また、プレス装置の従来の案内装置では、例えば、機械的な接触装置により工作物の位置監視が行われていることも知られている。かかる装置は問題が発生し易く、従って、それに対応して信頼性がない。
【０００４】
【特許文献１】独国特許出願公開第４０２３４２８Ａ１号明細書
【発明の開示】
【発明が解決しようとする課題】
【０００５】
本発明の目的は、問題を発生させることなく高い信頼性を備えて工作物の位置監視を行うことが出来る、前記種類の案内装置を提供することである。
【課題を解決するための手段】
【０００６】
上記目的を達成するため、請求項１の特徴を有する案内装置を提案する。本発明による案内装置は、工作物の位置監視装置が、非接触で工作物の位置を監視するためのセンサ装置として設計されていることを特徴とする。こうしたセンサ装置は、例えば、独国実用新案第２９８２０７４２Ｕ１号明細書によるセンサを少なくとも１つ有するものであってもよい。この文献は、工作物の検出に使用するセンサを開示している。それゆえ、本発明に従いセンサ装置を備えた案内装置は、非接触で部品を検出するのに好都合に適している。これにより、問題を発生させることなく信頼性の高い工作物の位置監視を案内装置で実現することが可能になる。特に、案内装置の工作物との接触域によくみられる磨耗及び／又は汚染の兆候も、センサ装置を使用して非接触で行なわれる構成部品の検出では、何ら支障を及ぼさない。
【０００７】
工作物の位置監視装置は、芯出し／固定装置としてさらに有利に設計される。つまり、案内装置は、各工作物の芯出し及び固定作業に適し、その上に、センサ装置を用いることで各工作物の記録にも適す。
【０００８】
案内装置は、プレス装置又はホワイトボデー溶接装置の一部であることが望ましい。案内装置のこうした使用法は、例えば、相応する自動車の製造工場に於ける大量生産に特に有効である。
【０００９】
センサ装置は、光学式センサ装置、特に赤外線センサ装置であっても良い。赤外線は、特に迅速且つ正確な構成部品の認識を図るのに適している。
【００１０】
好適な実施の形態に従い、センサ装置は、離れて配置された複数のセンサ要素を有している。同一面上に配置された少なくとも２つのセンサ要素が、工作物の位置検出用に備えられていることが望ましい。この配置では、工作物をこの面で、あるいは面に対して直角に、例えば上から送り込むことが可能である。工作物の動く方向により、適切な場合に案内斜面を備えたセンサ要素は、工作物の正確な位置決めを促す案内装置内の取り付位置に配置することができる。
【００１１】
センサ要素は、非破壊的に交換可能な構造要素として好都合に設計される。これにより、簡単な方法で様々に異なったセンサ要素を案内装置での使用に供することが出来、センサ要素を個々の工作物に合わせることが可能となる。
【００１２】
何れの場合もセンサ要素は、Ｌ字形の工作物接触辺を有し、その辺と共に検出線が三角形を形成するようにすると有益である。このように設計されたセンサ要素は、案内装置で特に柔軟に使用されうる。というのも、前記センサ要素が多方向からの工作物の送り込みを可能にするからである。
【００１３】
更なる好適な実施の形態によれば、センサ要素は、少なくとも１つの硬化された工作物接触面を有する。ここでは、この工作物接触面は案内斜面を含むものであることが好ましく、これにより、位置決め又は固定しようとする工作物の芯出しを比較的簡便に行なうことが出来るようになる。
【００１４】
センサ要素は標準部品でも良く、例えば長いもの、短いもの、といった具合に様々に設計することが可能である。標準部分は作業場で比較的短時間に入手出来る。
【００１５】
本発明の発展的な形態では、センサ装置が電子データ処理装置及び／又は制御装置に接続される。これにより、自動化並びに比較的短時間での工作物の位置監視が可能となり、更に、工作物の位置検出の監視時間、及び／又は監視点を、適切な場合、様々な方法で事前設定することも可能である
【００１６】
本発明の更なる利点が開示で明らかになろう。
【発明を実施するための最良の形態】
【００１７】
例示された好適な実施の形態を用い、概略的な図面を参照して、本発明をより詳細に説明する。
【００１８】
図１は、例えば、自動車の車体部品（図１に図示せず）用のプレス装置の成形機の案内装置１０の概略を示す図である。案内装置１０は、工作物１２、この例示的な実施の形態では被成形ブランク１２の位置決めに使用される。この目的のため、案内装置１０には、非接触で工作物の位置を監視するためのセンサ装置１６として設計された工作物の位置監視装置１４が備えられている。センサ装置１６は、光学式センサ装置で、本例示的な実施の形態では赤外線センサ装置であることが好ましい。センサ装置１６は、同一面上に配置された４つの離れて配置されたセンサ要素２０を有し、これらのセンサ要素２０は、ブランクの相対する辺に２つ１組となるように配置されている。しかしながら、ブランク辺上のセンサ要素２０の配置については、別の方法を考えることも可能である。案内装置１０は、複数の止め要素１８を有し、この止め要素１８もブランクの辺上に配置されているが、工作物の位置検出機能を果たさず、その代わりに、ブランク１２の単に芯出し、及び適切な場合ブランク１２を固定するために用いられる。案内装置１０で工作物の位置検出に使用するセンサ要素２０の数は、様々な方式で事前設定が可能である。
【００１９】
図２〜４は、センサ要素２０の可能な一実施の形態の異なる概略を示す図である。センサ要素２０は、略Ｌ字形の工作物接触辺２２を有する。この工作物接触辺２２には、該工作物接触辺２２と共にセンサ検出線２４が三角形を形成するように、発光機３０及び受光機３２が配置されている。センサ検出線２４は、稼動中、工作物の位置を検出するために、発光機３０から受光機３２に送られる赤外線ビームに対応するものである。センサ要素２０は、工作物接触辺２２上に２つの硬化された工作物接触面２６を有し、一方の工作物接触面２６はプレーナ案内斜面３４（傾斜角度は約２０度程度であることが好ましい）として設計され、もう一方の工作物接触面２６はプレーナ止め面３８として設計されている。従って、センサ要素２０も、位置決めされるべきブランク１２を同時に芯出し及び固定するために使用される。センサ要素２０は案内装置１０に非破壊的に交換可能な方法で固定でき、そのために溝穴３６が、同様に略Ｌ字形になっている固定辺４０に設けられている。適切なリード線２８により、センサ要素２０を電源や、さらに電子データ処理装置、及び／又は制御装置（図示せず）に接続することが可能である。センサ要素２０は標準部品であるので、例えば、先に備えられた止め要素１８との交換、及び／又は従来の機械的な部品位置監視要素との交換として、先在する案内装置１０に何等問題なく組み込むことが出来る。
【００２０】
かかる光電子工学式のセンサ装置１６により、案内装置１０は、高い処理信頼性を備えて操作されることが可能である。なぜならば、発生するかもしれない磨耗及び／又は汚染のいかなる兆候も、このプロセスに従来の機械的センサ装置の場合のような悪影響を及ぼすことがないからである。
【図面の簡単な説明】
【００２１】
【図１】本発明による案内装置の一部の概略を示す斜視図。
【図２】図１の案内装置のセンサ要素の概略を拡大して示す側面図。
【図３】図２のセンサ要素の概略を示す平面図。
【図４】図２のセンサ要素の案内斜面の概略を示す正面図。
【図１】
2006505417.tif 000003
【図２】
2006505417.tif 000004
【図３】
2006505417.tif 000005
【図４】
2006505417.tif 000006
【国際調査報告】
2006505417.tif 000007
2006505417.tif 000008
2006505417.tif 000009
2006505417.tif 000010
2006505417.tif 000011
2006505417.tif 000012